(57)【要約】【課題】同軸アダプタの使用用途の自由度を高くする。【解決手段】第１中心コンタクト及び第１外部コンタクトとを備える第１コンタクト部と、第２中心コンタクト及び第２外部コンタクトとを備える第２コンタクト部とを有し、前記第１中心コンタクトと前記第２中心コンタクト、及び前記第１外部コンタクトと前記第２外部コンタクトがそれぞれ、電気的に接続されている同軸アダプタであって、前記第１コンタクト部の軸方向と前記第２コンタクト部の軸方向とのなす角を変えることができる同軸アダプタである。【選択図】　　　　図１７
2004055246.tif 000002
【特許請求の範囲】
【請求項１】
第１中心コンタクト及び第１外部コンタクトとを備える第１コンタクト部と、第２中心コンタクト及び第２外部コンタクトとを備える第２コンタクト部とを有し、前記第１中心コンタクトと前記第２中心コンタクト、及び前記第１外部コンタクトと前記第２外部コンタクトがそれぞれ、電気的に接続されている同軸アダプタであって、
前記第１コンタクト部の軸方向と前記第２コンタクト部の軸方向とのなす角を変えることができることを特徴とする同軸アダプタ。
【請求項２】
前記第１コンタクト部は、前記第１コンタクト部の軸方向と直交する方向を回転軸として回転することを特徴とする請求項１に記載の同軸アダプタ。
【請求項３】
前記第１コンタクト部は、前記第１コンタクト部の軸方向と直交する方向を第１回転軸として回転するとともに、前記第２コンタクト部の軸方向を第２回転軸として回転することを特徴とする請求項１に記載の同軸アダプタ。
【請求項４】
前記第１コンタクト部は、前記第１中心コンタクトと前記第２中心コンタクト、及び前記第１外部コンタクトと前記第２外部コンタクトのそれぞれの電気的接続を保ちながら回転することを特徴とする請求項２または請求項３に記載の同軸アダプタ。
【請求項５】
第１中心コンタクト及び第１外部コンタクトを備える第１コンタクト部と、第２中心コンタクト及び第２外部コンタクトを備える第２コンタクト部と、前記第１外部コンタクトと前記第２外部コンタクトとを電気的に接続する外部コンタクト接続部材とを有し、前記第１中心コンタクトと前記第２中心コンタクト、及び前記第１外部コンタクトと前記第２外部コンタクトがそれぞれ、電気的に接続されて同軸アダプタであって、
前記第１外部コンタクトは、円筒状の導体部の一端に、前記円筒状の導体部の中心軸と直交する方向の１つを回転軸とした回転の支点となる突起が設けられ、かつ、前記突起から前記円筒状の導体部の内部に連通する開口部が設けられており、
前記外部コンタクト接続部材は、前記第１外部コンタクトの前記突起部分と電気的に接触して前記第１外部コンタクトを支持する第１外部コンタクト支持部が設けられており、
前記第１中心コンタクトと前記第２中心コンタクトとは、前記第１外部コンタクトの前記突起に設けられた開口部を通して、電気的に接続されていることを特徴とする同軸アダプタ。
【請求項６】
前記外部コンタクト接続部材は、前記第１外部コンタクトの前記突起を支持する支持部が設けられた第１外部コンタクト接続導体と第２外部コンタクト接続導体とからなり、
前記第１外部コンタクト接続導体の前記支持部と、前記第２外部コンタクト接続導体の前記支持部とで、前記第１外部コンタクトの前記突起を挟むように支持していることを特徴とする請求項５に記載の同軸アダプタ。
【請求項７】
前記第１外部コンタクト接続導体は、前記第２外部コンタクトと一体的に設けられていることを特徴とする請求項６に記載の同軸アダプタ。
【請求項８】
前記第１外部コンタクト接続導体は、前記第２外部コンタクトと電気的に接続し、かつ、前記第２外部コンタクトを回転可能な状態で支持する第２外部コンタクト支持部が設けられていることを特徴とする請求項６に記載の同軸アダプタ。
【請求項９】
前記外部コンタクト接続部材は、前記第１外部コンタクトを固定する固定ねじが設けられていることを特徴とする請求項５乃至請求項８のいずれか１項に記載の同軸アダプタ。
【請求項１０】
前記第１中心コンタクトは、両端にバネ性をもつメス受け部を有し、
前記第２中心コンタクトはピン状であり、
前記第２中心コンタクトの一端が前記第１中心コンタクトの一方の前記メス受け部に挟まれていることを特徴とする請求項５乃至請求項９に記載の同軸アダプタ。
【請求項１１】
前記第１外部コンタクトは、前記円筒状の導体部の外周面にねじ溝が設けられていることを特徴とする請求項１０に記載の同軸アダプタ。
【請求項１２】
前記第２外部コンタクトは、前記円筒状の導体部の内部に内バネが設けられていることを特徴とする請求項１０または請求項１１に記載の同軸アダプタ。
【請求項１３】
前記第２外部コンタクトは、円筒状の導体部の内周面にねじ山が設けられていることを特徴とする請求項１０または請求項１１に記載の同軸アダプタ。
【発明の詳細な説明】
【０００１】
【発明の属する技術分野】
本発明は、同軸アダプタに関し、特に、建物の壁面やテレビ受像機などに設けられた同軸構造の端子とプラグ付き同軸ケーブルとを接続する、あるいはプラグ付き同軸ケーブル同士を接続する同軸アダプタに適用して有効な技術に関するものである。
【０００２】
【従来の技術】
従来、建物の壁面やテレビ受像機、ラックマウントなどの側面（背面）に設けられた同軸構造の端子に同軸ケーブルを接続するときには、オス型、あるいはメス型のプラグが取り付けられた同軸ケーブル（以下、プラグ付き同軸ケーブルと称する）を用いる。
【０００３】
前記プラグ付き同軸ケーブルは、一般に、前記プラグの外部コンタクトの中心軸方向と前記同軸ケーブルの引き出し方向が平行なストレート型のプラグ付き同軸ケーブルと、前記プラグの外部コンタクトの中心軸方向と前記同軸ケーブルの引き出し方向が直交したライトアングル型のプラグ付き同軸ケーブルが広く用いられている。
【０００４】
このとき、前記ストレート型のプラグ付き同軸ケーブルと前記ライトアングル型のプラグ付き同軸ケーブルは、前記プラグ付き同軸ケーブルを接続する端子が設けられた場所や、周囲の状況により使い分けられている。
【０００５】
しかしながら、前記各プラグ付き同軸ケーブルは、前記プラグの外部コンタクトの中心軸方向と前記同軸ケーブルの引き出し方向の関係が固定されているので、たとえば、テレビ受像機やラックマウントの配置を変えて、ストレート型のプラグ付き同軸ケーブルで接続していた状況から、ライトアングル型のプラグ付き同軸ケーブルでの接続が適している状況に変わった場合には、新たにライトアングル型のプラグ付き同軸ケーブルを用意（購入）するか、前記プラグをライトアングル型に取り替えなければならなかった。
【０００６】
そこで、従来、たとえば、前記ストレート型のプラグ付き同軸ケーブルを、ライトアングル型のプラグ付き同軸ケーブルのように扱える同軸アダプタが用いられている。
【０００７】
前記同軸アダプタは、第１中心コンタクトと第１外部コンタクトを備える第１コンタクト部と、第２中心コンタクトと第２外部コンタクトを備える第２コンタクト部の２つのコンタクト部を有し、前記第１コンタクト部の軸方向と前記第２コンタクト部の軸方向、言い換えると、前記第１外部コンタクトの中心軸方向と前記第２外部コンタクトの中心軸方向が平行、あるいは直交したものがある。
【０００８】
このとき、前記第１コンタクト部の軸方向と前記第２コンタクト部の軸方向が直交した同軸アダプタ（Ｌ型同軸アダプタ）を用いれば、前記ストレート型のプラグ付き同軸ケーブルを前記ライトアングル型のプラグ付き同軸ケーブルのように接続することができる。
【０００９】
また、前記同軸アダプタを用いることにより、たとえば、前記ライトアングル型のプラグ付き同軸ケーブルを、前記ストレート型のプラグ付き同軸ケーブルのように接続することもできる。
【００１０】
また、前記同軸アダプタは、前記プラグ付き同軸ケーブルのプラグの方向の変換に限らず、たとえば、同軸ケーブルを延長したい場合や、タイプ（規格）が異なる同軸ケーブル同士を接続する場合などにも用いられる。
【００１１】
【発明が解決しようとする課題】
しかしながら、前記従来の技術では、前記同軸アダプタは、前記第１外部コンタクトの中心軸方向と前記第２外部コンタクトの中心軸方向の関係が固定されているので、接続する部分の状況に応じて、たとえば、前記第１外部コンタクトの中心軸方向と前記第２外部コンタクトの中心軸方向が平行なアダプタと、直交したアダプタを使い分けなければならない。そのため、前記従来の同軸アダプタは、使用用途の自由度が低いという問題があった。
【００１２】
また、前記従来の同軸アダプタは、前記第１外部コンタクトの中心軸方向と前記第２外部コンタクトの中心軸方向が平行、あるいは直交したものがほとんどである。しかしながら、前記同軸アダプタを用いて、建物の壁面やテレビ受像機などの端子にプラグ付き同軸ケーブルを接続するときには、前記テレビ受像機やラックマウントの構成や端子の位置などによっては、前記端子の軸方向、あるいは前記端子の軸方向と直交する方向に同軸ケーブルを引き出せない場合があり、前記従来の同軸アダプタでは前記プラグ付き同軸ケーブルの接続が難しい場合がある。
【００１３】
以上のようなことから、従来の同軸アダプタは、前記プラグ付き同軸ケーブルを接続したときの、前記同軸ケーブルの引き出し方向の自由度が低いという問題があった。
【００１４】
本発明の目的は、同軸アダプタの使用用途の自由度を高くすることが可能な技術を提供することにある。
【００１５】
本発明の他の目的は、同軸アダプタにプラグ付き同軸ケーブルを接続したときに、前記プラグ付き同軸ケーブルの引き出し方向の自由度を高くすることが可能な技術を提供することにある。
【００１６】
本発明の前記ならびにその他の目的と新規な特徴は、本明細書の記述及び添付図面によって明らかになるであろう。
【００１７】
【課題を解決するための手段】
本願において開示される発明の概要を説明すれば、以下の通りである。
【００１８】
（１）第１中心コンタクト及び第１外部コンタクトとを備える第１コンタクト部と、第２中心コンタクト及び第２外部コンタクトとを備える第２コンタクト部と、前記第１外部コンタクトと前記第２外部コンタクトを電気的に接続する外部コンタクト接続導体とを有し、前記第１中心コンタクトと前記第２中心コンタクト、及び前記第１外部コンタクトと前記第２外部コンタクトがそれぞれ、電気的に接続されている同軸アダプタであって、前記第１コンタクト部の軸方向と前記第２コンタクト部の軸方向とのなす角を変えることができる同軸アダプタである。
【００１９】
前記（１）の手段によれば、前記同軸アダプタを用いて、従来のストレート型、あるいはライトアングル型のプラグ付き同軸ケーブルと、建物の壁面やテレビ受像機に設けられた端子を接続するときに、前記端子からの同軸ケーブルの引き出し方向を変えることができる。そのため、従来の同軸アダプタに比べて、使用用途の自由度を高くすることができる。
【００２０】
また、前記（１）の手段において、前記第１コンタクト部の軸方向と前記第２コンタクトの軸方向とのなす角を変える方法としては、前記第１コンタクト部を、前記第１コンタクト部の軸方向と直交する方向を回転軸として回転させる方法がある。このとき、前記第１コンタクト部は、たとえば、前記回転軸周りに１８０℃回転できるようにしておくと、前記（１）の同軸アダプタ１つで、従来の第１コンタクト部の軸方向と前記第２コンタクト部の軸方向が平行な同軸アダプタ、および第１コンタクト部の軸方向と前記第２コンタクト部の軸方向が直交した同軸アダプタとして用いることができる。
【００２１】
また、前記（１）の手段において、前記第１コンタクト部を、前記第１コンタクト部の軸方向と直交する方向を第１回転軸として回転し、前記第２コンタクト部の軸方向を第２回転軸として回転するようにしてもよい。この場合、前記第１コンタクト部の軸方向と前記第２コンタクト部の軸方向のなす角を三次元的に変えることができる。
【００２２】
またこのとき、前記第１中心コンタクトと前記第２中心コンタクト、及び前記第１外部コンタクトと前記第２外部コンタクトのそれぞれの電気的接続を保ちながら回転させることができると、前記第１コンタクト部の軸方向と前記第２コンタクト部の軸方向を連続的に変化させることができ、従来の同軸アダプタでは引き出せなかった方向に同軸ケーブルを引き出すことができ、前記同軸ケーブルの引き出し方向の自由度が高くなる。
【００２３】
（２）第１中心コンタクト及び第１外部コンタクトを備える第１コンタクト部と、第２中心コンタクト及び第２外部コンタクトを備える第２コンタクト部と、前記第１外部コンタクトと前記第２外部コンタクトとを電気的に接続する外部コンタクト接続部材とを有し、前記第１中心コンタクトと前記第２中心コンタクト、及び前記第１外部コンタクトと前記第２外部コンタクトがそれぞれ、電気的に接続されて同軸アダプタであって、前記第１外部コンタクトは、円筒状の導体部の一端に、前記円筒状の導体部の中心軸と直交する方向の１つを回転軸とした回転の支点となる突起が設けられ、かつ、前記突起から前記円筒状の導体部の内部に連通する開口部が設けられており、前記外部コンタクト接続部材は、前記第１外部コンタクトの前記突起部分と電気的に接触して前記第１外部コンタクトを支持する第１外部コンタクト支持部が設けられており、前記第１中心コンタクトと前記第２中心コンタクトとは、前記第１外部コンタクトの前記突起に設けられた開口部を通して、電気的に接続されている同軸アダプタである。
【００２４】
前記（２）の手段によれば、前記第１コンタクト部の前記第１外部コンタクトに、回転の支点となる突起を設け、前記外部コンタクト接続部材に、前記第１外部コンタクトの突起を支持する支持部を設けることにより、前記第１外部コンタクトを回転させることができる。このとき、前記第２中心コンタクトを、前記第１外部コンタクトの前記突起に設けられた開口部を通して前記第１中心コンタクトと接続することにより、前記第１中心コンタクト及び前記第２中心コンタクトを通る信号の漏れを防ぐことが容易になる。またこのとき、前記第１中心コンタクトと前記第２中心コンタクト、及び前記第１外部コンタクトと前記第２外部コンタクトのそれぞれの電気的接続を保ちながら回転させることができる。
【００２５】
また、前記外部コンタクト接続部材は、前記第１外部コンタクトの前記突起を支持する支持部が設けられた第１外部コンタクト接続導体と第２外部コンタクト接続導体とにより構成し、前記第１外部コンタクト接続導体の前記支持部と、前記第２外部コンタクト接続導体の前記支持部とで、前記第１外部コンタクトの前記突起を挟むように支持する。
【００２６】
またこのとき、前記第１外部コンタクト接続導体は、前記第２外部コンタクトと一体的に設けられていてもよいし、前記第２外部コンタクトとは異なる導体部品であってもよい。
【００２７】
前記第１外部コンタクト接続導体と前記第２外部コンタクトを異なる導体部品で構成する場合、前記第１外部コンタクト接続導体は、前記第２外部コンタクトと電気的に接続し、かつ、前記第２外部コンタクトを回転可能な状態で支持する第２外部コンタクト支持部を設けることが好ましい。このとき、前記第２外部コンタクトを回転可能な状態で支持することにより、前記第１コンタクト部の軸方向と前記第２コンタクト部の軸方向とのなす角を三次元的に変えることができる。
【００２８】
また、前記（２）の手段において、前記外部コンタクト接続部材に、前記第１外部コンタクトを固定する固定ねじを設けることにより、前記第１コンタクト部の軸方向と前記第２コンタクト部の軸方向とのなす角を調節した後、前記第１コンタクト部を固定することができる。
【００２９】
また、前記（２）の手段において、前記第１コンタクト部は、たとえば、前記第１中心コンタクトが、両端にバネ性をもつメス受け部を有するメス型で、前記第２コンタクト部は、前記第２中心コンタクトがピン状のオス型の場合が考えられる。このとき、前記第２中心コンタクトの一端は、前記第１中心コンタクトの一方のメス受け部に挟むことで、電気的接続を確保するとともに、前記第１コンタクト部を回転させることができる。
【００３０】
またこのとき、前記第１外部コンタクトは、前記円筒状の導体部の外周面にねじ溝を設けておくことが好ましい。
【００３１】
また、前記第２外部コンタクトは、前記円筒状の導体部の内部に内バネが設けられていてもよいし、前記円筒状の導体部の内周面にねじ山が設けられていてもよい。前記第２外部コンタクトの円筒状の導体部の内周面にねじ山を設けた場合、前記第２外部コンタクトに接続するプラグ付き同軸ケーブル、あるいは端子をねじ止めで固定することができ、前記プラグ付き同軸ケーブル、あるいは端子を抜けにくくすることができる。
【００３２】
また、前記プラグ付き同軸ケーブル、あるいは端子をねじ止めで固定することにより、前記同軸アダプタの第２外部コンタクトと前記プラグ付き同軸ケーブル、あるいは端子との接続が確実になり、接続部のシールド性が高くなる。
【００３３】
以下、本発明について、図面を参照して実施の形態（実施例）とともに詳細に説明する。
【００３４】
なお、実施例を説明するための全図において、同一機能を有するものは、同一符号を付け、その繰り返しの説明は省略する。
【００３５】
【発明の実施の形態】
（実施例１）
図１乃至図５は、本発明による実施例１の同軸アダプタの概略構成を示す模式図であり、図１は同軸アダプタの正面図、図２は図１に示した同軸アダプタの右側面図、図３は図１に示した同軸アダプタを正面から見たときの内部構造を示す図、図４は図１に示した同軸アダプタを右側面から見たときの内部構造を示す図、図５は図１に示した同軸アダプタを左側面から見たときの内部構造を示す図である。
【００３６】
図１乃至図５において、１は第１コンタクト部、１０１は第１中心コンタクト、１０２は第１外部コンタクト、１０２Ａは第１外部コンタクトの円筒状の導体部、１０２Ｂは第１外部コンタクトの突起、１０３Ａは第１ブッシュ、１０３Ｂは第２ブッシュ、２は第２コンタクト部、２０１は第２中心コンタクト、２０１Ａ，２０１Ｂは第２中心コンタクトの端部、２０２は第２外部コンタクト、２０３は内バネ、３は外部コンタクト接続部材、３０１は第１外部コンタクト接続導体、３０２は第２外部コンタクト接続導体、４はブッシュである。
【００３７】
本実施例１の同軸アダプタは、図１及び図２に示すように、第１中心コンタクト１０１と第１外部コンタクト１０２とを備える第１コンタクト部１と、第２中心コンタクト２０１と第２外部コンタクト２０２とを備える第２コンタクト部２と、前記第１外部コンタクト１０２と前記第２外部コンタクト２０２を電気的に接続する外部コンタクト接続部材３により構成されている。
【００３８】
また、前記第１外部コンタクト１０２は、図３乃至図５に示すように、円筒状の導体部１０２Ａの一端に、前記円筒状の導体部１０２Ａの中心軸１０２Ｘと直交する方向の軸ＲＸを回転軸とした回転の支点となる突起１０２Ｂを有し、かつ、前記突起１０２Ｂから前記円筒状の導体部１０２Ａの内部へと連通する開口部が設けられている。
【００３９】
また、前記第１中心コンタクト１０１は、図１乃至図３に示すように、両端にバネ性を持つメス受け部を有し、絶縁性の第１ブッシュ１０３Ａ及び第２ブッシュ１０３Ｂにより、前記第１外部コンタクト１０２の円筒状の導体部１０２Ａの中心軸１０２Ｘの近傍に支持されている。
【００４０】
また、前記第２中心コンタクト２０１は、ピン状であり、図１乃至図３に示すように、前記第２コンタクト２０１の一端２０１Ｂは、前記第１外部コンタクト１０２の突起１０２Ｂに設けられた開口部を通して、前記第１中心コンタクト１０１と電気的に接続されている。
【００４１】
また、前記第２外部コンタクト２０２は円筒状であり、前記第２中心コンタクト２０１は、図３に示したように、ブッシュ４により、一方の端２０１Ａが前記第２外部コンタクト２０２の中心軸２０２Ｘ上にあり、もう一方の端２０１Ｂ、すなわち、前記第１中心コンタクト１０１と接続される部分が前記回転軸ＲＸ上にあるように支持されている。
【００４２】
また、前記外部コンタクト接続部材３は、図３乃至図５に示すように、前記第１外部コンタクト１０２の突起１０２Ｂを支持する支持部を有する第１外部コンタクト接続導体３０１と第２外部コンタクト接続導体３０２と、前記第１外部コンタクト接続導体３０１と前記第２外部コンタクト接続導体３０２を固定するねじ３０３により構成されている。また、本実施例１の同軸アダプタでは、前記第１外部コンタクト接続導体３０１は、図３乃至図５に示したように、前記第２外部コンタクト２０２と一体的に形成されている。
【００４３】
またこのとき、前記第１外部コンタクト１０２の突起１０２Ｂは、図４及び図５に示したように、前記第１外部コンタクト接続導体３０１の支持部３０１Ａと前記第２外部コンタクト接続導体３０２の支持部３０２Ａで挟まれた状態であり、前記突起１０２Ｂを支点として、前記回転軸ＲＸまわりに回転させることができるようになっている。
【００４４】
図６乃至図１６は、本実施例１の同軸アダプタの組み立て方法を説明するための模式図であり、図６（ａ）及び図６（ｂ）、ならびに図７は第１外部コンタクトの斜視図、図８及び図９、ならびに図１０は第１外部コンタクトに第１中心コンタクトを取り付ける工程の斜視図、図１１及び図１２、ならびに図１３は第２中心コンタクトを取り付ける工程の斜視図、図１４及び図１５は第２外部コンタクトを取り付ける工程の斜視図、図１６は第２外部コンタクト接続導体を取り付ける工程の斜視図である。
【００４５】
本実施例１のプラグ付き同軸ケーブル用アダプタを組み立てるときには、まず、図６（ａ）及び図６（ｂ）、ならびに図７に示すような、円筒状の導体部１０２Ａの一端に、前記円筒状の導体部１０２Ａの中心軸１０２Ｘと直交する軸ＲＸを回転軸としたときに回転の支点となる突起１０２Ｂが設けられた第１外部コンタクト１０２を形成する。このとき、前記第１外部コンタクト１０２は、たとえば、亜鉛ダイカストで形成し、図６（ｂ）に示すように、一方の突起１０２Ｂから前記円筒状の導体部１０２Ａの内部と連通する開口部を形成する。また、前記円筒状の導体部１０２Ａの外周面には、たとえば、図６（ａ）に示したようなねじ溝を形成する。
【００４６】
前記第１外部コンタクト１０２に、第１中心コンタクト１０１を取り付けるときには、まず、図８に示すように、第１ブッシュ１０３Ａの貫通穴（図示しない）に前記第１中心コンタクト１０１を挿入し、その上から第２ブッシュ１０３Ｂをかぶせる。その後、図９及び図１０に示すように、前記第１ブッシュ１０３Ａ及び前記第２ブッシュ１０３Ｂをかぶせた第１中心コンタクト１０１を前記第１外部コンタクト１０２の円筒状の導体部１０２Ａに挿入し、前記第１中心コンタクト１０１を前記第１外部コンタクト１０２の円筒状の導体部１０２Ａの中心軸１０２Ｘの近傍に支持する。
【００４７】
このとき、前記第１中心コンタクト１０１の一方のメス受け部が、図１０に示すように、前記第１外部コンタクト１０２の円筒状の導体部１０２Ａの中心軸１０２Ｘと、前記回転軸ＲＸの交点の近傍に来るようにする。またこのとき、たとえば、前記第１ブッシュ１０３Ａには突起を設け、前記第２ブッシュ１０３Ｂには前記第１ブッシュ１０３Ａの突起と対応する溝（切り欠き）を設けておく。また、前記第２ブッシュ１０３Ｂには、前記第１外部コンタクト１０２の円筒状の導体部１０２Ａに挿入したときのストッパーを設けておく。
【００４８】
次に、図１１及び図１２に示したように、第２中心コンタクト２０１をブッシュ４Ａ，４Ｂで挟み、前記ブッシュ４Ａ，４Ｂを接着した後、前記第２中心コンタクト２０１の一方の端２０１Ｂを、前記第１外部コンタクト１０２の突起１０２Ｂに設けられた開口部に挿入する。このとき、前記第２中心コンタクト２０１の、前記第１外部コンタクト１０２の突起１０２Ｂの開口部に挿入された側の端２０１Ｂは、図１３に示すように、前記第１中心コンタクト１０１の一端に設けられたメス受け部に挟まれた状態にする。また、前記第１コンタクト１０２の突起１０２Ｂの開口部に、前記ブッシュ４も挿入することにより、前記第２中心コンタクト２０１の前記第１中心コンタクト１０１と接続された部分が、前記回転軸ＲＸ上に支持される。
【００４９】
次に、図１４及び図１５に示すように、前記第１中心コンタクト１０１及び前記第２中心コンタクト２０１が取り付けられた第１外部コンタクト１０２に、第２外部コンタクト２０２及び内バネ２０３を取り付ける。このとき、前記第２外部コンタクト２０２は、たとえば、亜鉛ダイカストにより、図１４に示すように、前記第１外部コンタクト１０２の突起を支持する支持部３０１Ａを有する第１外部コンタクト接続導体３０１を一体的に形成しておく。また、前記第２外部コンタクト２０２と一体的に形成した前記第１外部コンタクト接続導体３０１には、前記第２中心コンタクト２０１を通す貫通穴及び、前記ブッシュ４を固定する溝を設けておき、前記第２中心コンタクト２０１の、前記第２外部コンタクト２０２に突出した端部２０１Ａが、前記第２外部コンタクト２０２の中心軸２０２Ｘ上にあるように支持する。
【００５０】
その後、図１６に示すように、前記第１外部コンタクト１０２の突起１０２Ｂを支持する支持部３０２Ａを有する第２外部コンタクト接続導体３０２をかぶせ、図３に示したように、前記第１外部コンタクト接続導体３０１と前記第２外部コンタクト接続導体３０２をねじ３０３で固定すると、本実施例１の同軸アダプタが得られる。
【００５１】
図１７は、本実施例１の同軸アダプタの作用効果を説明するための模式図である。
【００５２】
本実施例１の同軸アダプタは、前記第１外部コンタクト１０２に突起１０２Ｂを設けており、前記突起１０２Ｂを支点として回転させることができる。すなわち、図１及び図２に示したような、前記第１外部コンタクト１０２の円筒状の導体部１０２Ａの中心軸１０２Ｘと前記第２外部コンタクト２０２の中心軸２０２Ｘとのなす角、言い換えると、前記第１コンタクト部１の軸方向１Ｘと前記第２コンタクト部２の軸方向２Ｘとのなす角を変えることができる。そのため、本実施例１の同軸アダプタは、図２に示したように、前記第１コンタクト部１の軸方向１Ｘと前記第２コンタクト部２の軸方向２Ｘが平行な状態で用いることもできるし、図１７（ａ）に示すように、前記第１コンタクト部１の軸方向１Ｘと前記第２コンタクト部２の軸方向２Ｘが直交した状態で用いることもできる。そのため、たとえば、従来のストレート型のプラグが取り付けられた同軸ケーブルを前記第２コンタクト部２に接続すれば、ライトアングル型のプラグが取り付けられた同軸ケーブルと同じように扱うことができる。
【００５３】
また、本実施例１の同軸アダプタでは、前記第１コンタクト部１は、前記第１中心コンタクト１０１と前記第２中心コンタクト２０１、及び前記第１外部コンタクト１０２と前記第２外部コンタクト２０２のそれぞれの電気的接続を保ちながら回転させることができる。そのため、図２に示したような、前記第１コンタクト部１の軸方向１Ｘと前記第２コンタクト部２の軸方向２Ｘが平行な状態や、図１７（ａ）に示したような、前記第１コンタクト部１の軸方向１Ｘと前記第２コンタクト部２の軸方向２Ｘが直交した状態に限らず、たとえば、図１７（ｂ）に示したように、前記第１コンタクト部１の軸方向１Ｘと前記第２コンタクト部２の軸方向２Ｘのなす角を、前記第１コンタクト部１が回転可能な範囲で自由に変えることができる。
【００５４】
以上説明したように、本実施例１の同軸アダプタによれば、前記第１コンタクト部１の軸方向１Ｘと前記第２コンタクト部２の軸方向２Ｘのなす角を変えることができるので、たとえば、従来のストレート型のプラグ付き同軸ケーブルをライトアングル型のプラグ付き同軸ケーブルのように扱うことができる。また逆に、従来のライトアングル型のプラグ付き同軸ケーブルをストレート型の同軸ケーブルのように扱うこともできる。そのため、従来の同軸アダプタと比べて、使用用途の自由度を高くすることができる。
【００５５】
また、本実施例１の同軸アダプタは、前記第１コンタクト部１を回転させて、前記第１コンタクト部１の軸方向１Ｘと前記第２コンタクト部２の軸方向２Ｘのなす角を変えるときに、電気的接続を保ちながら変えることができる。そのため、本実施例１の同軸アダプタを用いて同軸ケーブルを接続すれば、従来のプラグ付き同軸ケーブルや同軸アダプタでは引き出せなかった方向へ同軸ケーブルを引き出すことができる。
【００５６】
また、本実施例１では、図１に示したように、回転する前記第１コンタクト部１がメス型で、前記第２コンタクト部２がオス型のプラグ付き同軸ケーブル用アダプタを例にあげて説明したが、これに限らず、たとえば、回転する前記第１コンタクト部１がオス型で、前記第２コンタクト部２がメス型であってもよい。また、前記第１コンタクト部１及び前記第２コンタクト部２が、ともにメス型、あるいはオス型であってもよい。
【００５７】
（実施例２）
図１８乃至図２１は、本発明による実施例２の同軸アダプタの概略構成を示す模式図であり、図１８は同軸アダプタの正面図、図１９は図１８に示した同軸アダプタの内部構造を示す図、図２０は本実施例２の同軸アダプタの動作を説明するための図、図２１は本実施例２の同軸アダプタに用いる第１外部コンタクトの斜視図である。
【００５８】
本実施例２の同軸アダプタは、前記実施例１のプラグ付き同軸ケーブル用アダプタとほぼ同様の構成であり、図１８及び図１９に示すように、第１中心コンタクト１０１と第１外部コンタクト１０２とを備える第１コンタクト部１と、第２中心コンタクト２０１と第２外部コンタクト２０２とを備える第２コンタクト部２と前記第１外部コンタクト１０２と前記第２外部コンタクト２０２を電気的に接続する外部コンタクト接続部材３とを有する。
【００５９】
なお、前記第１コンタクト部１、前記第２コンタクト部２などの構成は、前記実施例１で説明した同軸アダプタと同様の構成であるため、その詳細な説明は省略する。
【００６０】
本実施例２の同軸アダプタにおいて、前記実施例１の同軸アダプタと異なる点は、図１８及び図１９に示したように、前記外部コンタクト接続部材３に、固定ねじ３０４が設けられている点である。このとき、前記固定ねじ３０４は、第２外部コンタクト接続導体３０２に設けられたねじ穴にねじこめられており、先端部が前記第１外部コンタクト１０２の突起１０２Ｂに達している。またこのとき、前記第１外部コンタクト１０２の突起１０２Ｂの表面の、前記固定ねじ３０４が接する部分には、たとえば、図１９に示したように、ガイド用の溝を設けておく。
【００６１】
本実施例２の同軸アダプタを用いるときには、まず、たとえば、前記第２コンタクト部２にプラグ付き同軸ケーブルを接続した後、図１９に示すように、前記固定ねじ３０４を緩める。このとき、前記第１コンタクト部１は、前記実施例１の同軸アダプタと同様に回転させることができるので、前記同軸アダプタを接続する場所の周囲の状況に合わせて、前記第１コンタクト部１の軸方向１Ｘと前記第２コンタクト部２の軸方向２Ｘとのなす角を調節する。
【００６２】
前記第１コンタクト部１の軸方向１Ｘと前記第２コンタクト部２の軸方向２Ｘとのなす角を調節した後、前記固定ねじ３０４を締めて、図１９に示したように、前記固定ねじ３０４の先端が前記第１外部コンタクト１０２の突起１０２Ｂに接するようにすると、前記第１外部コンタクト１０２が回転しなくなる。そのため、前記第１コンタクト部１の軸方向１Ｘと前記第２コンタクト部２の軸方向２Ｘのなす角を固定することができる。
【００６３】
なお、本実施例２のプラグ付き同軸ケーブル用アダプタの組み立てるときには、たとえば、図２１に示すように、前記第１外部コンタクト１０２の突起１０２Ｂのうち、前記第１外部コンタクト１０２の円筒状の導体部１０２Ａの内部空間と連通する開口部が設けられていないほうの突起に、固定ねじ３０４のガイドをする溝１０２Ｂ’を設けておけばよく、その後は、前記実施例１の同軸アダプタと同様の手順で組み立てていき、最後に前記固定ねじ３０４を取り付ければよいので、詳細な説明は省略する。
【００６４】
以上説明したように、本実施例２の同軸アダプタによれば、前記実施例１の同軸アダプタと同様に、従来の同軸アダプタと比べて、使用用途の自由度を高くすることができる。
【００６５】
また、本実施例２の同軸アダプタは、前記第１コンタクト部１を回転させて、前記第１コンタクト部１の軸方向と前記第２コンタクト部２の軸方向のなす角を変えるときに、電気的接続を保ちながら変えることができる。そのため、本実施例２の同軸アダプタを用いれば、従来のプラグ付き同軸ケーブルや同軸アダプタでは、同軸ケーブルを曲げなければ引き出せなかった方向（角度）に前記同軸ケーブルを引き出すことができる。
【００６６】
また、本実施例２のプラグ付き同軸ケーブル用アダプタのように、前記固定ねじ３０４を設けることにより、前記第１コンタクト部１の軸方向と前記第２コンタクト部２の軸方向とのなす角を調節した後、前記第１コンタクト部１を固定することができ、前記第１コンタクト部１の軸方向１Ｘと前記第２コンタクト部２の軸方向２Ｘの角度を堅固に固定することができる。そのため、前記同軸アダプタを用いてプラグ付き同軸ケーブルを端子に接続するときに、たとえば、前記端子が狭い空間にある場合にも容易に接続することができる。
【００６７】
また、本実施例２では、図１８に示したように、回転する前記第１コンタクト部１がメス型で、前記第２コンタクト部２がオス型のプラグ付き同軸ケーブル用アダプタを例にあげて説明したが、これに限らず、たとえば、回転する前記第１コンタクト部１がオス型で、前記第２コンタクト部２がメス型であってもよい。また、前記第１コンタクト部１及び前記第２コンタクト部２が、ともにメス型、あるいはオス型であってもよい。
【００６８】
（実施例３）
図２２乃至図２４は、本発明による実施例３の同軸アダプタの概略構成を示す模式図であり、図２２は同軸アダプタの正面図、図２３は図２２に示した同軸アダプタを正面から見たときの内部構造を示す図、図２４は図２２に示した同軸アダプタの底面図である。
【００６９】
本実施例３の同軸アダプタは、図２２及び図２３に示すように、第１中心コンタクト１０１と第１外部コンタクト１０２とを備える第１コンタクト部１と、第２中心コンタクト２０１と第２外部コンタクト２０２とを備える第２コンタクト部２と、前記第１外部コンタクト１０２と前記第２外部コンタクト２０２とを電気的に接続する外部コンタクト接続部材３とを有する。
【００７０】
なお、前記第１コンタクト部１の構成は、前記実施例１で説明した同軸アダプタと同様の構成であるため、その詳細な説明は省略する。
【００７１】
また、本実施例３の同軸アダプタは、前記実施例１及び前記実施例２の同軸アダプタと異なり、図２２及び図２３に示すように、前記第２外部コンタクト２０２と前記第１外部コンタクト接続導体３０１が異なる導体部品からなる。またこのとき、前記第２外部コンタクト２０２は、筒状導体の内周面にねじ山が設けられている。
【００７２】
また、前記第１外部コンタクト接続導体３０１は、円筒状の突起３０１Ａが前記第２外部コンタクト２０２に挿入されており、前記円筒状の突起３０１Ａの先端部分が、外側に開くように折り曲げ加工されている。そのため、前記第２外部コンタクト２０２は、前記第１外部コンタクト接続導体３０１との電気的接続を保ちながら、中心軸２０２Ｘと平行な軸を回転軸として回転するようになっている。
【００７３】
また、前記第２外部コンタクト２０２の外周面には、前記第２外部コンタクト２０２を回転させやすくするための回転補助部２０２Ａを設けておく。またこのとき、前記回転補助部２０２Ａは、図２４に示すように、切り欠き２０２Ｂを設けておき、前記第１外部コンタクト接続導体３０１と前記第２外部コンタクト接続導体３０２を固定するねじ３０３を回せるようにしておく。
【００７４】
本実施例３の同軸アダプタも、前記第１コンタクト部１が回転し、前記第１コンタクト部１の軸方向１Ｘと前記第２コンタクト部２の軸方向２Ｘとのなす角を変えることができる。
【００７５】
また、本実施例３の同軸アダプタのように、前記第２外部コンタクト２０２の内周面にねじ山を設けておくと、前記第２外部コンタクト２０２とプラグ付き同軸ケーブルのプラグや、建物の壁面に取り付けられたＴＶ端子などとを接続するときに、ねじ止めすることができる。そのため、前記実施例１及び前記実施例２の同軸アダプタに比べて、抜けにくく、接続信頼性が向上する。
【００７６】
また、本実施例３の同軸アダプタでは、前記第２外部コンタクト２０２と前記第１外部コンタクト接続導体３０１が、電気的接続を保ちながら前記第２外部コンタクト２０２の中心軸２０２Ｘと平行な方向を回転軸として回転させることができる。また、本実施例３の同軸アダプタは、前記実施例１及び前記実施例２で説明したように、前記第１コンタクト部１を、前記第２コンタクト部２の中心軸と直交する方向を回転軸（第１回転軸）ＲＸとして回転させることもできる。そのため、本実施例３の同軸アダプタは、前記第１コンタクト部１の軸方向１Ｘと前記第２コンタクト部２の軸方向２Ｘとのなす角を三次元的に変えることができる。
【００７７】
また、前記第２外部コンタクト２０２の内周面にねじ山を設けた場合、前記第２コンタクト部２にプラグ付き同軸ケーブルを接続するときに、ねじ止めすることができる。このとき、前記第２外部コンタクト２０２と前記プラグ付き同軸ケーブルの外部コンタクトは、前記実施例１及び前記実施例２で説明した場合に比べて、接続が確実になる。そのため、前記第２外部コンタクト２０２と前記プラグ付き同軸ケーブルの接続部のシールド性を高くすることができる。
【００７８】
以上説明したように、本実施例３の同軸アダプタによれば、前記実施例１及び前記実施例２の同軸アダプタと同様に、従来の同軸アダプタと比べて、使用用途の自由度を高くすることができる。
【００７９】
また、本実施例３の同軸アダプタは、前記第１コンタクト部１を回転させて、前記第１コンタクト部１の軸方向１Ｘと前記第２コンタクト部２の軸方向２Ｘのなす角を変えるときに、電気的接続を保ちながら変えることができる。そのため、従来のプラグ付き同軸ケーブルや同軸アダプタでは、同軸ケーブルを曲げなければ引き出せなかった方向（角度）に、前記同軸ケーブルを引き出すことができる。
【００８０】
また、本実施例３の同軸アダプタは、前記第１コンタクト部１の軸方向１Ｘと前記第２コンタクト部２の軸方向２Ｘとのなす角を三次元的に変えることができるので、前記実施例１や前記実施例２の同軸アダプタに比べて、同軸ケーブルの引き出し方向の自由度が、さらに高くなる。
【００８１】
また、本実施例３の同軸アダプタは、前記第２コンタクト部２とプラグ付き同軸ケーブルの接続の確実性が高いので、前記実施例１や前記実施例２の同軸アダプタに比べて、前記第２コンタクト部２とプラグ付き同軸ケーブルの接続部のシールド製を高くすることができる。
【００８２】
また、本実施例３では、図２２に示したように、回転する前記第１コンタクト部１がメス型で、前記第２コンタクト部２がオス型のプラグ付き同軸ケーブル用アダプタを例にあげて説明したが、これに限らず、たとえば、回転する前記第１コンタクト部１がオス型で、前記第２コンタクト部２がメス型であってもよい。また、前記第１コンタクト部１及び前記第２コンタクト部２が、ともにメス型、あるいはオス型であってもよい。
【００８３】
また、本実施例３の同軸アダプタの場合も、前記実施例２で説明したような固定ねじ３０４を設けてよいことは言うまでもない。
【００８４】
以上、本発明を、前記実施例に基づき具体的に説明したが、本発明は、前記実施例に限定されるものではなく、その要旨を逸脱しない範囲において、種々変更可能であることはもちろんである。
【００８５】
【発明の効果】
本願において開示される発明のうち、代表的なものによって得られる効果を簡単に説明すれば、以下の通りである。
【００８６】
（１）同軸アダプタの使用用途の自由度を高くすることができる。
【００８７】
（２）同軸アダプタにプラグ付き同軸ケーブルを接続したときに、前記プラグ付き同軸ケーブルの引き出し方向の自由度を高くすることができる。
【図面の簡単な説明】
【図１】本発明による実施例１の同軸アダプタの概略構成を示す模式図であり、同軸アダプタの正面図である。
【図２】本実施例１の同軸アダプタの概略構成を示す模式図であり、図１に示した同軸アダプタの右側面図である。
【図３】本実施例１の同軸アダプタの概略構成を示す模式図であり、図１に示した同軸アダプタを正面から見たときの内部構造を示す図である。
【図４】本実施例１の同軸アダプタの概略構成を示す模式図であり、図１に示した同軸アダプタを右側面から見たときの内部構造を示す図である。
【図５】本実施例１の同軸アダプタの概略構成を示す模式図であり、図１に示した同軸アダプタを左側面から見たときの内部構造を示す図である。
【図６】本実施例１の同軸アダプタの組み立て方法を説明するための模式図であり、図６（ａ）及び図６（ｂ）は第１外部コンタクトの斜視図である。
【図７】本実施例１の同軸アダプタの組み立て方法を説明するための模式図であり、図６（ａ）に示した第１外部コンタクトを、紙面上下方向を回転軸として９０度回転させた斜視図である。
【図８】本実施例１の同軸アダプタの組み立て方法を説明するための模式図であり、第１外部コンタクトに第１中心コンタクトを取り付ける工程の斜視図である。
【図９】本実施例１の同軸アダプタの組み立て方法を説明するための模式図であり、第１外部コンタクトに第１中心コンタクトを取り付ける工程の斜視図である。
【図１０】本実施例１の同軸アダプタの組み立て方法を説明するための模式図であり、第１外部コンタクトに第１中心コンタクトを取り付ける工程の斜視図である。
【図１１】本実施例１の同軸アダプタの組み立て方法を説明するための模式図であり、第２中心コンタクトを取り付ける工程の斜視図である。
【図１２】本実施例１の同軸アダプタの組み立て方法を説明するための模式図であり、第２中心コンタクトを取り付ける工程の斜視図である。
【図１３】本実施例１の同軸アダプタの組み立て方法を説明するための模式図であり、第２中心コンタクトを取り付ける工程の斜視図である。
【図１４】本実施例１の同軸アダプタの組み立て方法を説明するための模式図であり、第２外部コンタクトを取り付ける工程の斜視図である。
【図１５】本実施例１の同軸アダプタの組み立て方法を説明するための模式図であり、第２外部コンタクトを取り付ける工程の斜視図である。
【図１６】本実施例１の同軸アダプタの組み立て方法を説明するための模式図であり、第２外部コンタクト接続導体を取り付ける工程の斜視図である。
【図１７】本実施例１の同軸アダプタの作用効果を説明するための模式図である。
【図１８】本発明による実施例２の同軸アダプタの概略構成を示す模式図であり、同軸アダプタの正面図である。
【図１９】本実施例２の同軸アダプタの概略構成を示す模式図であり、図１８に示した同軸アダプタを正面から見たときの内部構造を示す図である。
【図２０】本実施例２の同軸アダプタの動作を説明するための模式図である。
【図２１】本実施例２の同軸アダプタに用いる第１外部コンタクトの斜視図である。
【図２２】本発明による実施例３の同軸アダプタの概略構成を示す模式図であり、同軸アダプタの正面図である。
【図２３】本実施例３の同軸アダプタの概略構成を示す模式図であり、図２２に示した同軸アダプタを正面から見たときの内部構造を示す図である。
【図２４】本実施例３の同軸アダプタの概略構成を示す模式図であり、図２２に示した同軸アダプタの底面図である。
【符号の説明】
１…第１コンタクト部、１０１…第１中心コンタクト、１０２…第１外部コンタクト、１０２Ａ…第１外部コンタクトの円筒状の導体部、１０２Ｂ…第１外部コンタクトの突起、１０３Ａ…第１ブッシュ、１０３Ｂ…第２ブッシュ、２…第２コンタクト部、２０１…第２中心コンタクト、２０１Ａ，２０１Ｂ…第２中心コンタクトの端部、２０２…第２外部コンタクト、２０３…内バネ、３…外部コンタクト接続部材、３０１…第１外部コンタクト接続導体、３０２…第２外部コンタクト接続導体、３０３…ねじ、３０４…固定ねじ、４，４Ａ，４Ｂ…ブッシュ。
【図１】
2004055246.tif 000003
【図２】
2004055246.tif 000004
【図３】
2004055246.tif 000005
【図４】
2004055246.tif 000006
【図５】
2004055246.tif 000007
【図６】
2004055246.tif 000008
【図７】
2004055246.tif 000009
【図８】
2004055246.tif 000010
【図９】
2004055246.tif 000011
【図１０】
2004055246.tif 000012
【図１１】
2004055246.tif 000013
【図１２】
2004055246.tif 000014
【図１３】
2004055246.tif 000015
【図１４】
2004055246.tif 000016
【図１５】
2004055246.tif 000017
【図１６】
2004055246.tif 000018
【図１７】
2004055246.tif 000019
【図１８】
2004055246.tif 000020
【図１９】
2004055246.tif 000021
【図２０】
2004055246.tif 000022
【図２１】
2004055246.tif 000023
【図２２】
2004055246.tif 000024
【図２３】
2004055246.tif 000025
【図２４】
2004055246.tif 000026